(57)【要約】      （修正有）【課題】カラオケ情報を多数のカラオケ演奏装置に迅速且つ円滑に配信するカラオケ情報配信システムを得る。【解決手段】カラオケホスト装置２がインターネット３を介して複数のカラオケ演奏装置４Ａ，４Ｂ，４Ｃ，４Ｄ…に接続されて成るカラオケ情報配信システム１に於て、前記複数のカラオケ演奏装置４Ａ，４Ｂ，４Ｃ，４Ｄ…をグループ化し、且つ、該グループ内のカラオケ演奏装置４Ａ，４Ｂ，４Ｃ，４Ｄに順次に転送がなされるように転送先アドレスを指定する転送先アドレス指定手段８を前記カラオケホスト装置２に設け、指定された転送先アドレスを各カラオケ演奏装置に夫々送信した後、該カラオケホスト装置２から先頭カラオケ演奏装置４Ａにカラオケ情報を送信すると、該カラオケ情報は各カラオケ演奏装置の転送手段１２によって、前記転送先アドレスに従い、各カラオケ演奏装置に順次転送されるように構成されている。【選択図】図１
2005189668.tif 000002
【特許請求の範囲】
【請求項１】
カラオケホスト装置がインターネットを介して複数のカラオケ演奏装置に接続されてなるカラオケ情報配信システムに於て、前記複数のカラオケ演奏装置をグループ化し、且つ、該グループ内のカラオケ演奏装置に順次に転送がなされるように転送先アドレスを指定する転送先アドレス指定手段を前記カラオケホスト装置に設けると共に、前記カラオケ演奏装置にカラオケ情報を転送するための転送手段を配設し、前記カラオケホスト装置から前記転送先アドレス指定手段によって指定された転送先アドレスを各カラオケ演奏装置に夫々送信した後、該カラオケホスト装置から先頭カラオケ演奏装置にカラオケ情報を送信すると、該カラオケ情報は各カラオケ演奏装置の転送手段によって、前記転送先アドレスに従い、各カラオケ演奏装置に順次転送されるように構成されていることを特徴とするカラオケ情報配信システム。
【請求項２】
上記カラオケ演奏装置は該カラオケ演奏装置の転送状態を上記カラオケホスト装置に通知するアンサーバック手段を備え、該カラオケ演奏装置が転送不良となった時、前記カラオケホスト装置に通知するように構成されていることを特徴とする請求項１記載のカラオケ情報配信システム。
【請求項３】
上記カラオケホスト装置は上記カラオケ演奏装置の上記アンサーバック手段から転送不良の通知があった時、該カラオケ演奏装置に指定された転送先アドレスのカラオケ演奏装置にカラオケ情報を送信するように構成されていることを特徴とする請求項２記載のカラオケ情報配信システム。
【請求項４】
上記カラオケホスト装置は上記カラオケ演奏装置に対し送信不良となった時、該カラオケ演奏装置に指定された転送先アドレスのカラオケ演奏装置にカラオケ情報を送信するように構成されていることを特徴とする請求項１，２又は３記載のカラオケ情報配信システム。
【請求項５】
上記カラオケ演奏装置はカラオケ情報の受信が終了した時、上記アンサーバック手段によって上記カラオケホスト装置に通知するように構成されていることを特徴とする請求項２，３又は４記載のカラオケ情報配信システム。
【請求項６】
上記インターネットはブロードバンド回線が使用されることを特徴とする請求項１，２，３，４又は５記載のカラオケ情報配信システム。
【請求項７】
上記ブロードバンド回線はＡＤＳＬ回線であることを特徴とする請求項６記載のカラオケ情報配信システム。
【発明の詳細な説明】
【技術分野】
【０００１】
本発明は、カラオケ情報配信システムに関するものであり、特に、カラオケ情報を多数のカラオケ演奏装置に迅速且つ円滑に配信できるようにしたカラオケ情報配信システムに関するものである。
【背景技術】
【０００２】
従来此種カラオケ情報配信システムとして、種々のシステムが知られており、例えば、特許文献１には、センターから特定地域のホスト端末装置に楽曲データをダウンロードし、且つ、該特定の地域の他の端末装置に対してホスト端末装置の電話番号をダウンロードし、これらの他の端末装置は該電話番号に基づきホスト端末装置に電話をかけて楽曲データをダウンロードする楽曲データ配信方法が記載されている。
【０００３】
又、特許文献２には、カラオケデータの中継基地に指定されたカラオケ演奏端末が、カラオケデータに加え転送先アドレスの電話番号リストを記憶し、このリストの電話番号を順番に発呼して転送先アドレスのカラオケ演奏端末と回線接続すると共に、格納されている転送対象カラオケデータを送信して受け渡す通信カラオケシステムが記載されている。
【０００４】
更に、特許文献３には代表端末が定期的にホストコンピュータと通信して新たなカラオケ音楽をダウンロードし、更に、この新たなカラオケ音楽を複数の一般端末に同時に転送すると共に、転送状態を診断するためのアンサーバックを該一般端末から出力させるカラオケ端末の多重接続機構が記載されている。
【特許文献１】特開平０８−２８６６８１号公報
【特許文献２】特開平１０−２００６５６号公報
【特許文献３】特許第２６５４５８３号
【発明の開示】
【発明が解決しようとする課題】
【０００５】
上記特許文献１記載の発明はホスト端末装置に他の端末装置から電話をかけて楽曲をダウンロードするものであり、該他の端末装置は電話をかける作業が煩雑であると共に、該ホスト端末装置は電話の受信と楽曲のダウンロードとを複数の他の端末装置に対して順次に行うため配信作業に時間がかかるという問題がある。
【０００６】
又、上記特許文献２記載の発明は、中継基地に指定されたカラオケ演奏端末から複数の他のカラオケ演奏端末に順次に電話をかけてダウンロードするため、全体のダウンロード時間がかかるという問題がある。
【０００７】
更に、上記特許文献３記載の発明は、代表端末が定期的にホストコンピュータと通信して新たなカラオケ音楽をダウンロードし、更に、複数の一般端末に同時に転送するものであり、カラオケ音楽の配信は極めて早くなるが、該代表端末に接続される回線の容量によって、ダウンロードの速度は制限される。
【０００８】
殊に近年、カラオケ品質を向上させるためにＭＩＤＩ形式の音楽演奏データに代えて、ＭＰ３などの音楽録音データを用いたり、複数の楽曲で同じ背景映像を使い回しすることなく楽曲ごとに専用の背景映像を用意するような傾向がある。そうなればデータ量は大幅に増大しダウンロード時間がかかりすぎる問題は益々深刻になる。
【０００９】
そこで、カラオケ情報を多数のカラオケ演奏装置に迅速且つ円滑に配信するカラオケ情報配信システムを得るために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、カラオケホスト装置がインターネットを介して複数のカラオケ演奏装置に接続されてなるカラオケ情報配信システムに於て、前記複数のカラオケ演奏装置をグループ化し、且つ、該グループ内のカラオケ演奏装置に順次に転送がなされるように転送先アドレスを指定する転送先アドレス指定手段を前記カラオケホスト装置に設けると共に、前記カラオケ演奏装置にカラオケ情報を転送するための転送手段を配設し、前記カラオケホスト装置から前記転送先アドレス指定手段によって指定された転送先アドレスを各カラオケ演奏装置に夫々送信した後、該カラオケホスト装置から先頭カラオケ演奏装置にカラオケ情報を送信すると、該カラオケ情報は各カラオケ演奏装置の転送手段によって、前記転送先アドレスに従い、各カラオケ演奏装置に順次転送されるように構成したカラオケ情報配信システムを提供するものである。
【００１１】
この請求項１記載の発明によると、グループ化されたカラオケ演奏装置の先頭カラオケ演奏装置にカラオケホスト装置からカラオケ情報が送信されると、グループ内のカラオケホスト装置に順次転送されるので、カラオケ情報を迅速且つ円滑に配信することができる。
【００１２】
又、請求項２記載の発明は、上記カラオケ演奏装置は該カラオケ演奏装置の転送状態を上記カラオケホスト装置に通知するアンサーバック手段を備え、該カラオケ演奏装置が転送不良となった時、前記カラオケホスト装置に通知するように構成されている請求項１記載のカラオケ情報配信システムを提供するものである。
【００１３】
この請求項２記載の発明によれば、前記カラオケホスト装置は前記アンサーバック手段によって転送状態及び転送不良の発生を知ることができる。
【００１４】
更に、請求項３記載の発明は、上記カラオケホスト装置は上記カラオケ演奏装置の上記アンサーバック手段から転送不良の通知があった時、該カラオケ演奏装置に指定された転送先アドレスのカラオケ演奏装置にカラオケ情報を送信するように構成されている請求項２記載のカラオケ情報配信システムを提供するものである。
【００１５】
この請求項３記載の発明によれば、転送不良先のカラオケ演奏装置にカラオケ情報が送信されるので、その後のカラオケ情報の転送が円滑に継続される。
【００１６】
更に又、請求項４記載の発明は、上記カラオケホスト装置は上記カラオケ演奏装置に対し送信不良となった時、該カラオケ演奏装置に指定された転送先アドレスのカラオケ演奏装置にカラオケ情報を送信するように構成されている請求項１，２又は３記載のカラオケ情報配信システムを提供するものである。
【００１７】
この請求項４記載の発明によれば、カラオケホスト装置からカラオケ演奏装置に対し送信不良となった時、該カラオケ演奏装置に指定された転送先アドレスのカラオケ演奏装置にカラオケ情報を送信するので、その後のカラオケ情報の配信を円滑に継続することができる。
【００１８】
そして、請求項５記載の発明は、上記カラオケ演奏装置はカラオケ情報の受信が終了した時、上記アンサーバック手段によって上記カラオケホスト装置に通知するように構成されている請求項２，３又は４記載のカラオケ情報配信システムを提供するものである。
【００１９】
この請求項５記載の発明によれば、前記通知によって受信完了を確認できると共に、所定時間内に受信完了の通知がない場合は、転送不良を知ることができ、然る時は前記カラオケホスト装置から直接送信して、その後のカラオケ情報の配信を円滑に継続することができる。
【００２０】
又、請求項６記載の発明は、上記インターネットはブロードバンド回線が使用される請求項１，２，３，４又は５記載のカラオケ情報配信システムを提供するものである。
【００２１】
この請求項６記載の発明によれば、ブロードバンド回線によってデータ転送が高速になる利点がある。
【００２２】
そして、請求項７記載の発明は、上記ブロードバンド回線はＡＤＳＬ回線である請求項６記載のカラオケ情報配信システムを提供するものである。
【００２３】
この請求項７記載の発明によれば、該ＡＤＳＬ回線によって請求項６記載の発明と略同様の利点が期待できる。
【発明の効果】
【００２４】
本発明の請求項１記載の発明は、カラオケ情報配信システムに於て、複数のカラオケ演奏装置をグループ化し、且つ、該グループ内のカラオケ演奏装置に順次に転送がなされるように転送先アドレスを指定する転送先アドレス指定手段をカラオケホスト装置に設けると共に、前記カラオケ演奏装置にカラオケ情報を転送するための転送手段を配設し、前記カラオケホスト装置から前記転送先アドレス指定手段によって指定された転送先アドレスを各カラオケ演奏装置に夫々送信した後、該カラオケホスト装置から先頭カラオケ演奏装置にカラオケ情報を送信すると、該カラオケ情報は各カラオケ演奏装置の転送手段によって、前記転送先アドレスに従い、各カラオケ演奏装置に順次転送されるように構成されているので、グループ化された先頭カラオケ演奏装置にカラオケ情報が送信されると、グループ内のカラオケホスト装置に順次転送され、カラオケ情報を迅速且つ円滑に配信することができる。
【００２５】
又、請求項２記載の発明は、上記カラオケ演奏装置は該カラオケ演奏装置の転送状態を上記カラオケホスト装置に通知するアンサーバック手段を備え、該カラオケ演奏装置が転送不良となった時、前記カラオケホスト装置に通知するように構成されているので、請求項１記載の発明の効果に加え、前記カラオケホスト装置は前記アンサーバック手段によって転送状態及び転送不良の発生を知ることができる。
【００２６】
更に、請求項３記載の発明は、上記カラオケホスト装置は上記カラオケ演奏装置の上記アンサーバック手段から転送不良の通知があった時、該カラオケ演奏装置に指定された転送先アドレスのカラオケ演奏装置にカラオケ情報を送信するように構成されているので、請求項２記載の発明の効果に加え、転送不良が発生しても転送不良先のカラオケホスト装置にカラオケ情報が送信されるので、その後のカラオケ情報の転送が円滑に継続される。
【００２７】
更に又、請求項４記載の発明は、上記カラオケホスト装置は上記カラオケ演奏装置に対し送信不良となった時、該カラオケ演奏装置に指定された転送先アドレスのカラオケ演奏装置にカラオケ情報を送信するように構成されているので、請求項１，２又は３記載の発明の効果に加え、カラオケホスト装置からカラオケ演奏装置に対し送信不良となった時、その後のカラオケ演奏装置へのカラオケ情報の配信を円滑に継続することができる。
【００２８】
そして、請求項５記載の発明は、上記カラオケ演奏装置はカラオケ情報の受信が終了した時、上記アンサーバック手段によって上記カラオケホスト装置に通知するように構成されているので、請求項２，３又は４記載の発明の効果に加え、前記通知によって受信完了を確認できると共に、所定時間内に受信完了の通知がない場合は、転送不良を知ることができ、然る時は前記カラオケホスト装置から直接送信して、カラオケ情報の配信を円滑に継続することができる。
【００２９】
又、請求項６記載の発明は、上記インターネットはブロードバンド回線が使用されるので、請求項１，２，３，４又は５記載の発明の効果に加え、ブロード回線によってデータ転送が高速になる利点がある。
【００３０】
そして、請求項７記載の発明は、上記ブロードバンド回線はＡＤＳＬ回線であるので、請求項６記載の発明の効果と略同様の効果が期待できる等、正に著大なる効果を奏する発明である。
【発明を実施するための最良の形態】
【００３１】
カラオケ情報を多数のカラオケ演奏装置に迅速且つ円滑に配信するカラオケ情報配信システムを得るという目的を、複数のカラオケ演奏装置をグループ化し、且つ、該グループ内のカラオケ演奏装置に順次に転送がなされるように転送先アドレスを指定する転送先アドレス指定手段を前記カラオケホスト装置に設けると共に、前記カラオケ演奏装置にカラオケ情報を転送するための転送手段を配設することにより実現した。
【実施例１】
【００３２】
本発明の一実施の形態を図１乃至図４に従って詳述する。図１に於て、１はＭＰＥＧ２データ等のカラオケ情報を配信するカラオケ情報配信システムであり、該カラオケ情報配信システム１は、カラオケホスト装置２がブロードバンド回線であるＡＤＳＬ回線を利用したインターネット３を介して複数のカラオケ演奏装置４Ａ，４Ｂ，４Ｃ，４Ｄ…に接続されて成り、該インターネット３と該カラオケ演奏装置４Ａ，４Ｂ，４Ｃ，４Ｄ…間には夫々ルータ５Ａ，５Ｂ，５Ｃ，５Ｄ…が介装されている。
【００３３】
そして、前記カラオケホスト装置２には図２に示すようにカラオケ情報及びその他の信号を前記インターネット３を介して送受信するための送受信手段６と、カラオケ情報を蓄積するカラオケ情報蓄積手段７と、後述する転送先アドレスを指定するための転送先アドレス指定手段８とを備えている。
【００３４】
該転送先アドレス指定手段８は前記複数のカラオケ演奏装置４Ａ，４Ｂ，４Ｃ，４Ｄ…をグループ化し、グループ内のカラオケ演奏装置に順次転送が行われるように転送先アドレスを指定するものであり、例えば、カラオケ演奏装置４Ａ，４Ｂ，４Ｃ，４Ｄが１つのグループにグループ化された場合、例えば、カラオケ演奏装置４Ａを先頭カラオケ演奏装置として、該カラオケ演奏装置４Ａからカラオケ演奏装置４Ｂ，４Ｃ，４Ｄに順次転送が行われるように転送先アドレスを指定するように構成されている。即ち、該カラオケ演奏装置４Ａには該カラオケ演奏装置４Ｂに転送するための転送先アドレスが指定され、該カラオケ演奏装置４Ｂには該カラオケ演奏装置４Ｃに転送するための転送先アドレスが指定され、該カラオケ演奏装置４Ｃには該カラオケ演奏装置４Ｄに転送するための転送先アドレスが指定される。そして、該転送先アドレスは前記送受信手段６を介して夫々転送元カラオケ演奏装置に送信される。
【００３５】
尚、該転送先アドレス指定手段８は指定された転送先アドレスを転送元のカラオケ演奏装置と組み合わせたデータとして蓄積する蓄積手段、例えば、転送先アドレステーブルであるが、これに代えて自動的に転送元のカラオケ演奏装置に転送先アドレスを指定する手段であっても良く、然る時も同様の効果が期待できる。
【００３６】
又、図３に示す如く、例えば、前記カラオケ演奏装置４Ａにはカラオケ情報及びその他の信号を送受信するための送受信手段９と、カラオケ情報を蓄積するカラオケ情報蓄積手段１０と、カラオケ情報の受信状況を前記カラオケホスト装置２に通知するためのアンサーバック信号を発信するアンサーバック手段１１とが備えられており、該送受信手段９にはカラオケ情報を転送するための転送手段１２が備えられている。そして、他のカラオケ演奏装置４Ｂ，４Ｃ，４Ｄ…も略同様な構成となっている。
【００３７】
而して、前記カラオケホスト装置２の転送先アドレス指定手段８によって前記カラオケ演奏装置４Ａ，４Ｂ，４Ｃ，４Ｄ…をグループ化し、例えば、カラオケ演奏装置４Ａ，４Ｂ，４Ｃ，４Ｄを１つのグループにした場合、例えばカラオケ演奏装置４Ａを先頭として、該グループ内でカラオケ情報を順次転送できるようにカラオケ演奏装置４Ａ，４Ｂ，４Ｃに夫々転送先アドレスを指定する。そして、該転送先アドレスを前記送受信手段６を介して、夫々カラオケ演奏装置４Ａ，４Ｂ，４Ｃに送信する。
【００３８】
次に、前記カラオケホスト装置２の前記カラオケ情報蓄積手段７からカラオケ情報を前記インターネット３及び前記ルータ５Ａを介して先頭のカラオケ演奏装置４Ａに送信すると該カラオケ演奏装置４Ａは、例えば、図４に示すように、まず、カラオケ情報の一曲分としてのファイル１を、分割されたパケット１，２，３，４として順次受信する。そして、受信されたカラオケ情報は前記カラオケ情報蓄積手段１０に蓄積される。    
【００３９】
次に、該カラオケ演奏装置４Ａはファイル２を分割されたパケット５，６，７，８，９として順次受信する。以後、同様の受信が繰り返される。そして、前記ファイル１の受信を完了した時、該ファイル１を複写した後、前記転送手段１２によって前記ルータ５Ａ、インターネット３及びルータ５Ｂを介して前記転送先アドレスで指定された次のカラオケ演奏装置４Ｂに該ファイル１をパケット１，２，３，４として順次転送する。同様にして前記ファイル２の受信を完了した時、該ファイル２を複写した後、前記カラオケ演奏装置４Ｂに該ファイル２をパケット５，６，７，８，９として順次転送する。そして、以降のファイルも受信後、複写されて転送される。
【００４０】
一方、前記カラオケ演奏装置４Ｂも同様に、ファイル１，２…を受信後、複写して次のカラオケ演奏装置４Ｃに転送し、該カラオケ演奏装置４Ｃは同様にして次のカラオケ演奏装置４Ｄに転送する。そして、前記カラオケ演奏装置４Ａ，４Ｂ，４Ｃ，４Ｄは全てのファイルを受信完了した時、前記アンサーバック手段１１，１１…によって夫々前記カラオケホスト装置２に受信完了の信号を送信する。又、他のグループにも同様にカラオケ情報の配信が行われる。全てのファイルの受信完了はデータの最後部に挿入された終了信号を受信して検知する。
【００４１】
尚、上記のようにファイル単位で複写と転送を繰り返す代わりに、パケット単位にしてもよく、そうすればパケット量の多いファイルの場合でもグループ内のカラオケ演奏端末の全てに転送し終える時間が短縮できる。
【００４２】
そして、例えば、前記カラオケ演奏装置４Ｂからカラオケ演奏装置４Ｃに転送時に、転送先からの受信状況に関する返信を確認し、転送不良を検出した場合は転送を断念する。このようになった場合は、該カラオケ演奏装置４Ｂの前記アンサーバック手段１１から転送を断念したことを通知する転送不良の信号が前記送受信手段９を介して前記カラオケホスト装置２に送信され、該カラオケホスト装置２は該転送不良信号を受信すると該カラオケホスト装置２から図１に示す矢印ａの如く前記カラオケ演奏装置４Ｃにカラオケ情報を送信する。この場合カラオケ演奏端末４Ｂの転送先が何処であるかは転送先アドレス指定手段８を参照すればわかる。又は該転送不良の信号とともに転送先アドレスを通知させてもよい。こうして、前述と同様に該カラオケ情報は該カラオケ演奏装置４Ｃから前記カラオケ演奏装置４Ｄへと転送される。
【００４３】
更に、例えば、前述の如く前記カラオケホスト装置２から前記カラオケ演奏装置４Ｃにカラオケ情報を送信時に送信不良となった場合は、該カラオケホスト装置２からカラオケ演奏装置４Ｄにカラオケ情報を送信する。これにより、カラオケ演奏装置４Ｃへの送信は断念するものの、それ以降の転送ルート上のカラオケ演奏端末への配信が継続できる。
【００４４】
斯くして、前記カラオケ情報配信システム１はカラオケ演奏装置をグループ化し、それぞれに転送アドレスを設定して転送ルートを決定し、グループ内のカラオケ演奏装置に転送先アドレスを送信して、カラオケ情報を順次転送させるので、カラオケ情報の配信が短時間に円滑に行われる。
【００４５】
又、転送不良があった時は、アンサーバックによって転送不良をカラオケホスト装置に通知するので、該カラオケホスト装置は転送不良先に直ちにカラオケ情報を送ることができる。又、転送不良先に送信不良が生じた時は、該送信先のカラオケ演奏装置に指定された転送先のカラオケ演奏装置に送信して配信を継続できる。
【００４６】
更に、前記転送はブロードバンド回線であるＡＤＳＬ回線によって行われるので転送速度も速くなる。もちろん、光ファイバー回線とすることでより高速化できる。
【００４７】
尚、本発明は、本発明の精神を逸脱しない限り種々の改変を為すことができ、そして、本発明が該改変されたものに及ぶことは当然である。
【図面の簡単な説明】
【００４８】
【図１】本発明の一実施の形態を示し、カラオケ情報配信システムの説明図。
【図２】カラオケホスト装置の説明図。
【図３】カラオケ演奏装置の説明図。
【図４】カラオケ情報の転送の説明図。
【符号の説明】
【００４９】
１          カラオケ情報配信システム
２          カラオケホスト装置
３          インターネット
８          転送先アドレス指定手段
１１          アンサーバック手段
１２          転送手段
【図１】
2005189668.tif 000003
【図２】
2005189668.tif 000004
【図３】
2005189668.tif 000005
【図４】
2005189668.tif 000006